(57)【特許請求の範囲】
【請求項１】
機器本体前面に上位域奥面に記録媒体挿入口を有するパネルを設け、画面部体をパネルの両側に設けたスロープ溝の形状に従って起立状態から最大傾斜角まで傾動可能に配した形式の映像オーディオ装置において、前記パネルの奥面前部に記録媒体挿入口を遮蔽するシャッター板を上下スライド可能に配置し、かつ該シャッター板は、前記スロープ溝に嵌まる画面部体上部支点が所定位置まで下降したときに該上部支点で押下げ力を受けるように構成したことを特徴とする映像オーディオ装置の防塵構造。
【請求項２】
シャッター板が側部にスロープ溝内に突入したレバーを有し、該レバーで画面部体の上部支点から押下げ力を受けるようになっていることを特徴とする請求項１に記載の映像オーディオ装置の防塵構造。
【請求項３】
シャッター板がパネルに取り付けた付勢手段により常態において記録媒体挿入口を閉鎖し得る高さレベルに保持されるように構成されていることを特徴とする請求項1または２に記載の映像オーディオ装置の防塵構造。
【発明の詳細な説明】
【技術分野】
【０００１】
本発明は車輌に搭載される映像オーディオ装置とりわけ可動スロープパネル型の映像オーディオ装置に好適な防塵構造に関する。
【背景技術】
【０００２】
車輌に搭載されるカーナビやカーテレビなどの車載用情報機器として、液晶モニターからなるディスプレーユニットを備えた映像オーディオ装置が知られており、そのひとつのタイプとして、ディスプレーユニットＡをほぼ垂直な閉状態から、操作者が見やすいように、図１（ａ）を経てたとえば水平に対して３０度までの範囲で角度変更を行えるものが知られている。
この種の装置にはメディア再生装置が内蔵されていて、機器本体上位部位にＣＤ等の記録媒体の挿入口Ｂを設けている。この記録媒体挿入口Ｂは、図１（ａ）のようにディスプレーユニットＡが通常使用傾斜領域の角度であるときにはディスプレーユニットＡにより隠蔽されるので防塵効果を期待できるが、ディスプレーユニットＡを図１（ｂ）のように水平に近づく大きな傾斜角度にすると、挿入口Ｂが露出されるので防塵効果が喪失し、埃などの異物が入りやすくなる。
【０００３】
そこで、従来では、挿入口Ｂに防塵シートＣを装備している。図２はその例を示しており、柔らかい布やレザーなどに隙間やスリットを設けた防塵シート本体Ｃ1を樹脂製のガイドプレートＣ2で裏打ちしてアッセンブリーとし、これをインナーパネルＤの挿入口の背面側に固定している。
しかし、この構造では挿入用の隙間が常にあるため防塵効果が弱く、また、隙間を小さくすると防塵シート本体との摩擦により記録媒体挿抜の不具合に至ることもある。しかも、防塵シート本体は高価なものを使用することが多いので、コストも高くなる問題があった。
【０００４】
なお、車両用モニター装置において、フロントパネル（ディスプレーユニットではない）を機器本体の前部に閉止／開放自在に設け、開放状態で露出する領域に記録媒体挿入口を設けたものが先行技術に開示されている。この先行技術においては、記録媒体挿入口の下方に隣接して防塵ドアを起伏自在に枢着し、防塵ドアの外側下端に機器本体前面に当接可能な突起を設けている。  
【０００５】
この先行技術では、フロントパネルの傾斜時に防塵ドアが自重で９０度開き、この時に防塵ドアが前方に突出するので体裁が芳しくない点、防塵ドアが前方に突出しているので、記録媒体挿入口にディスクを挿入するときに誤って衝突したり擦れたりしてディスクを損傷させる可能性がある点、複数の記録媒体挿入口が段設されている場合には防塵ドアが大きな寸法になるので、現実的には１つの挿入口である場合にしか適用が困難となり、近時のように情報ソースの数が増した状況にうまく適応させ難い点、自重で開いた状態の防塵ドアを閉じるには、フロントパネルが起立したときにこれの上部で押圧させるので、ときとしてフロントパネルに防塵ドアが噛み込み、ロックされてしまう可能性がある点などに問題があった。
【特許文献１】特開２００３−９５０３０号公報
【発明の開示】
【発明が解決しようとする課題】
【０００６】
本発明は前記のような問題点を解消するためになされたもので、その目的とするところは、挿入口が複数であっても画面部体がフルオープンしたときにのみ挿入口を露出させて防塵効果を高めることができ、しかも挿入口を露出させる過程および露出させた状態のいずれにおいても機器本体前面に何も突出物を形成せず、ディスクの出し入れの際に不用意に傷をつけることもない映像オーディオ装置の防塵構造を提供することにある。
【課題を解決するための手段】
【０００７】
機器本体前面に上位域奥面に記録媒体挿入口を有するパネルを設け、画面部体をパネルの両側に設けたスロープ溝の形状に従って起立状態から最大傾斜角まで傾動可能に配した形式の映像オーディオ装置において、前記パネルの奥面前部に記録媒体挿入口を遮蔽するシャッター板を上下スライド可能に配置し、かつ該シャッター板は、前記スロープ溝に嵌まる画面部体上部支点が所定位置まで下降したときに該上部支点で押下げ力を受けるように構成したことを特徴としている。
【発明の効果】
【０００８】
本発明によれば、パネルの奥面に対向するシャッター板を用い、これを画面部体のパネルスロープ溝に嵌まっている上部支点の移動による押圧作用を駆動源としてパネルの奥面に沿ってスライドさせるので、前後開閉防塵ドアの場合のようにパネル奥面から前に突出するものがなく、したがって体裁をよいものにすることができ、ディスクの挿入時にぶつかる異物もないので、挿脱操作も円滑に行うことができる。
また、上下方向のスライドであるから、記録媒体挿入口が複数である場合でも何ら支障がなく適用することができ、画面部体が水平に近づいたフルオープン角度になるときにのみこれと連動して各記録媒体挿入口を露出させ、例えば傾斜角０〜３０度といった通常の画面部体使用時においては各記録媒体挿入口を確実に閉じ、防塵効果をあげることができる。
【発明を実施するための最良の形態】
【０００９】
好適には、シャッター板が側部にスロープ溝内に突入したレバーを有し、該レバーで画面部体の上部支点から押下げ力を受けるようになっている。
これによれば、シャッター板に設けた簡単な構造によりシャッター板を確実にスライドさせて記録媒体挿入口を露出させることができる。
また、好適には、シャッター板がパネルに取り付けた付勢手段により常態において記録媒体挿入口を閉鎖し得る高さレベルに保持されている。
これによれば、記録媒体挿入口を常態において確実に閉鎖させ、画面部体が閉じ位置から傾斜する際には付勢手段の力でシャッター板を徐々にスライドさせることができ、画面部体が閉じられるときには、付勢手段の復元力でシャッター板を画面部体の動きに追従させ、円滑に閉鎖位置までスライドさせることができる。
【実施例１】
【００１０】
以下添付図面を参照して本発明の実施例を説明する。
図３ないし図８は本発明にかかる防塵シャッター構造を備えた映像オーディオ装置の一例を示しており、図３と４において、１は機器本体、２は機器本体１の凹入した前部に嵌着されるパネル（インナーエスカッション）、３は画像部体（ディスプレーユニット）である。
機器本体１の上部域には２段にＤＶＤやＭＡＰなどの記録媒体の再生機構１Ａ，１Ｂが挿脱口を前方に向けて設けられており、下部域には前記画像部体3の下部とを前後移動させるための電動式駆動機構４が設けられている。画像部体3は画面本体３ａとリアカバー３ｂとを有し、該リアカバー３ｂの側部下端に前記電動式駆動機構４の作動レバー４ａの先端部が連結されている。
【００１１】
パネル２は機器本体１の凹入した前部に対する奥面部２ａとこれ一体の囲壁面部２ｂとで全体として比較的偏平な箱状をなし、奥面部２ａには前記再生機構３Ａ，３Ｂの挿脱口と合致した２段の記録媒体挿入口２０,２１が形成されている。
そして、前記囲壁面部２ｂの左右部分には、画像部体３を開き位置から閉じ位置に角度変化させるための縦方向に延在するスロープ溝２２,２２が対設されている。一方、前記画像部体３のリアカバー３ｂの両側上端部位には、前記スロープ溝２２,２２に嵌まり、かつこれらに沿って移動可能な上部支点としてのローラ３２,３２が取り付けられている。
これにより、前記電動式駆動機構４の駆動に応じてローラ３２,３２がスロープ溝２２,２２に沿った移動軌跡を描き、それにより、画像部体3は図４の閉じ位置から、図６のチルト角度（通常３０℃）の位置を経て、図８のフルオープン位置まで可逆的に開閉される。
【００１２】
以上のような構成は従来の可動スロープ型の映像オーディオ装置と同様であるが、本発明は前記パネル２の奥面部２ａに対し、記録媒体挿入口２０,２１を遮蔽する上下方向スライド自在なシャッター機構５を装備している。
シャッター機構５は、記録媒体挿入口２０,２１を塞ぎ得る面積を持ちパネル２の奥面部２ａに接近して配置されたシャッター板５ａと、該シャッター板５ａを図５のように常態において上限位置すなわち記録媒体挿入口２０,２１を閉鎖する位置に保持する付勢手段６と、画像部体３が閉じ位置と最大開位置との間で角度変化する際に前記ローラ３２,３２と協働して図５〜図７のように付勢手段６の力に抗してシャッター板を下方にスライドさせる連動手段を備えている。
【００１３】
詳述すると、まず、シャッター板５ａの幅方向両側部５０、５０は、奥面部２ａとこれの両側域にねじ等で留められたガイド片９、９の間に位置され、前方への外れが規制されている。
前記付勢手段６は、シャッター板５ａの下部と前記パネル囲壁面部２ｂの下面側をつなぎ、上下方向で可縮性を持った弾性部材６ａを有している。弾性部材６ａとしてこの例ではコイル部を中間にしこれの両端から外方に延出する脚を有するねじりコイルばねが左右一対用いられている。弾性部材６ａ、６ａはそれぞれ下側脚が囲壁面部２ｂの下面側に突設した固定爪２５に連結されている。また、ねじりコイルばねの上側脚はシャッター板５ａの背後に突出した上部固定爪５５に連結され、奥面部２ａには前記上部固定爪５５の上下方向の移動をガイドする縦溝２６，２６が形成されている。
【００１４】
前記連動手段は、シャッター板５ａの幅方向両側下部から屈曲したレバー（ないしアーム）７、7からなり、それらレバー７，７は、図３，４のようにパネル２のスロープ溝２２,２２中の所定高さレベルすなわち画面部体３がチルト位置（通常、約３０度）に到ったときのローラ３２,３２位置よりも適度に開角度側の任意位置に突入されており、この位置に達したローラ３２,３２によりレバー７，７は押圧を受け、それによりシャッター板５ａが奥面部２ａに沿って下降されるようになっている。
【００１５】
本発明の作用を説明すると、図4のように画面部体３が閉じられているときには両側のローラ３２,３２はパネル2のスロープ溝２２,２２の上端位置にあり、シャッター板５ａのレバー７，7から大きく離間しているので、シャッター板５ａには押下げ力は作用せず、付勢部６の弾性部材６ａ、6ａが上部固定爪５５を介してシャッター板５ａを上方に押し上げるので、シャッター板５ａは上限位置に保持される。したがって図3のように記録媒体挿入口２０,２１はシャッター板５ａで閉止され、埃やごみなどの異物の侵入が防止される。
【００１６】
前記状態から画面部体３を見るべく図示しない操作スイッチをオンにすれば、電動式駆動機構４が駆動し、作動レバー４ａが前進することにより画面部体３は下部がパネル２から離間するように押し出される。画面部体３の上部両側のローラ３２,３２はパネル2のスロープ溝２２,２２に嵌まっているので、前記画面部体３の下部の前進によりローラ３２,３２はスロープ溝２２,２２に沿って下降し、それにより画面部体３はほぼ垂直の状態から傾斜状に角度変化する。図９は閉じ状態からフルオープン状態までの動きを示している。
前記画面部体３の角度変化が閉じ位置（傾斜角度ゼロ）からある位置たとえば３０度程度のチルトに達するまでの間は、ローラ３２,３２はシャッター板５ａのレバー７，７に当接しないので、シャッター板５ａは図５のように上限位置に保持され、記録媒体挿入口２０,２１は遮蔽されている。したがって、画面を傾動させても通常使用範囲ではシャッター板５ａは動作せず、記録媒体挿入口２０,２１を閉鎖したままであるから、確実な防塵効果が得られる。
【００１７】
かくして画面部体３が図６のようにチルトを過ぎた角度に傾けられると、これに同期してローラ３２,３２はシャッター板５ａのレバー７，７に当接し始め、それによりレバー７，７が弾性部材６ａ、６ａのシャッター板押し上げ力に抗して徐々に押下げられるため、レバー７，７と一体のシャッター板５ａは下降スライドを開始する。
なおも画面部体３の前方への押し出しが持続して角度が開いていくと、両側のローラ３２,３２もレバー７，７を押下げ続けるので、シャッター板５ａもさらに下降を続け、記録媒体挿入口２０,２１を開放させていく。
【００１８】
図７と８は画面部体３のフルオープン状態を示しており、両側のローラ３２,３２はスロープ溝２２,２２の下端位置にあり、レバー７，７が下降限まで押下げられているので記録媒体挿入口２０,２１は開放され、それらの近傍など突起物が何もないので、記録媒体をスムーズに挿入しあるいは排出することができる。このようにフルオープンの時必要最低限の時間だけ記録媒体挿入口２０,２１が開くため防塵効果を高いものにすることができる。
【００１９】
前記フルオープンにした画面部体３を閉じるべく電動式駆動機構４を後退側に作動させると、画面部体３の後端が牽引されることにより上部両側のローラ３２,３２はスロープ溝２２,２２の下端位置から上昇し始める。このときにレバー７，７はワインドアップされた弾性部材６ａ、６ａから押し上げ力を受けているので、シャッター板５ａは画面部体３の動きに確実に追従して上方にスライドを開始し、画面部体３の角度が増すに応じて記録媒体挿入口２０,２１を閉じて行き、図５，６のように使用画面傾斜角（例えば３０度）に達したときには記録媒体挿入口２０,２１はシャッター板５ａで遮蔽される。
【００２０】
本発明は、記録媒体挿入口２０,２１に高価な防塵シートを使わずに防塵効果を高めることができるが、もちろん記録媒体挿入口２０,２１に防塵シートを張設しておけば、２重の防塵効果をあげることができる。また、シャッター板５ａの周縁に弾性シール部材を固定しておけば、これがパネル奥面に接触するため、ある程度の防水効果も奏することができる。
【図面の簡単な説明】
【００２１】
【図１】（ａ）は従来の映像オーディオ装置の画面部チルト状態を示す斜視図、（ｂ）は画面部オープン状態を示す斜視図である。
【図２】従来装置の防塵構造を分解状態で示す斜視図である。
【図３】本発明にかかる映像オーディオ装置の防塵構造の一例を記録媒体挿入口閉じ状態で示す正面図、（ｂ）はそのである。
【図４】図３の状態を示す側面図  である。
【図５】本発明装置において画面部体がチルト角度に達した状態の正面図である。
【図６】図５の側面図である。
【図７】本発明装置において画面部体がフルオープン角度に到った状態の正面図である。である。
【図８】図６の側面図である。
【図９】本発明装置の画面部体の角度変化とシャッター板の位置変化の軌跡を示す説明図である。
【符号の説明】
【００２２】
１  機器本体
２  パネル
２ｂ  奥面部
３  画面部体
５  シャッター機構
５ａ  シャッター板
６  付勢手段
６ａ  弾性部材
７  レバー
２０，２１  記録媒体挿入口
２２  スロープ溝
３２  ローラ
【図１】
0004597893.tif 000002
【図２】
0004597893.tif 000003
【図３】
0004597893.tif 000004
【図４】
0004597893.tif 000005
【図５】
0004597893.tif 000006
【図６】
0004597893.tif 000007
【図７】
0004597893.tif 000008
【図８】
0004597893.tif 000009
【図９】
0004597893.tif 000010